(57)【要約】【課題】  回転切り換え可能な誘導案内面を有する回転体を備えることによって、遊技途中で発射強度の調整を行わなくても、遊技領域を流下する遊技球を異なる領域へ切り換え案内することのできる遊技機用可変入賞装置と、それを用いた遊技機を提供する。【解決手段】  回転体２０は、誘導案内面２１が回転軸線Ｏを含む鉛直面に対して左右方向一方側に傾斜して遊技領域２ｃでの遊技球の流下を案内する第一案内位置と、左右方向他方側に傾斜して遊技領域２ｃの遊技球を入賞領域５ｃへ案内する第二案内位置とに変位可能である。回転体２０が電動モータ３０によって第一案内位置に切り換えられて停止したとき、遊技領域２ｃを流下する遊技球Ｂは誘導案内面２１に沿ってその遊技領域２ｃを流下する。一方、回転体２０が電動モータ３０によって第二案内位置に切り換えられて停止したとき、遊技領域２ｃを流下する遊技球Ｂは誘導案内面２１により入賞領域５ｃに案内される。【選択図】  図２
2008272231.tif 000002
【特許請求の範囲】
【請求項１】
遊技球の流下方向を上下方向としその交差方向を左右方向として遊技盤の盤面上に形成された遊技領域において、遊技者の位置する前方側とは反対側の後方側に向かう入賞領域へ前記遊技領域から遊技球を導入するための入賞口を有する台板を含んで構成され、その台板が前記遊技盤に固定された遊技機用可変入賞装置であって、
前記遊技領域を流下する遊技球を案内するために前後方向に所定高さの誘導案内面を有するとともに、前記台板から前方側に向かって配置された回転軸線周りに回転することにより、前記誘導案内面が前記回転軸線を含む鉛直面に対して左右方向一方側に傾斜して前記遊技領域での遊技球の流下を案内する第一案内位置と、左右方向他方側に傾斜して前記遊技領域の遊技球を前記入賞領域へ案内する第二案内位置とに変位可能な回転体と、
その回転体を前記回転軸線周りで可逆的に又は同一方向に回転して前記第一案内位置と第二案内位置とに変位させるためのアクチュエータとを備え、
前記回転体が前記アクチュエータによって前記第一案内位置に切り換えられて停止したとき、前記遊技領域を流下する遊技球は前記誘導案内面に沿ってその遊技領域を流下する一方、
前記回転体が前記アクチュエータによって前記第二案内位置に切り換えられて停止したとき、前記遊技領域を流下する遊技球は前記誘導案内面により前記入賞領域に案内されることを特徴とする遊技機用可変入賞装置。
【請求項２】
前記回転体の誘導案内面は、円盤を中心線方向から見て円周上の２点を通る弦を切断線とし、前記中心線方向に沿ってその切断線を移動させて切断・分離した２つの切断片のうちいずれか一方が選択された場合に、その選択された切断片が有する単一の切断平面に該当する請求項１に記載の遊技機用可変入賞装置。
【請求項３】
前記台板には、前記遊技領域での遊技球の流下を案内するための誘導面を有する誘導壁部が形成されるとともに、その誘導面には前記回転体を回転可能に収容するための凹部が形成され、
前記回転体が前記第一案内位置で停止保持されているとき、前記誘導壁部の誘導面は、前記回転体の誘導案内面と面一状になるように配置されている請求項２に記載の遊技機用可変入賞装置。
【請求項４】
請求項１ないし３のいずれか１項に記載の遊技機用可変入賞装置の台板が前記遊技盤に固定配置されたことを特徴とする遊技機。
【請求項５】
前記遊技盤には、前記回転体の前記第一案内位置での停止保持状態において、前記誘導案内面から遊技球の流下方向下手側へ向かう延長線に沿って複数の障害釘が植設され、それら障害釘のさらに流下方向下手側に始動入賞口が配置されている請求項４に記載の遊技機。
【発明の詳細な説明】
【技術分野】
【０００１】
本発明は、遊技機用可変入賞装置及びそれを搭載した遊技機に関する。
【背景技術】
【０００２】
従来より、例えば始動入賞口に入賞することによって当否抽選が行われ、その抽選結果が大当たりの場合には、アタッカーと称する大入賞口（大入賞装置）が所定時間を１ラウンド（１Ｒ）として所定ラウンド数にわたり開放されるので、遊技者は短時間に大量の賞球を獲得することができる。そして、近年の遊技機に関連する規則の緩和措置等により、遊技領域に複数の大入賞口を備える遊技機が実現可能となった。このようなダブルアタッカータイプの一例として、一方のアタッカーは遊技領域の右側に、他方のアタッカーは遊技領域中央に位置するチャッカー（始動入賞口）の下部にそれぞれ配置され、抽選結果が大当たりの場合には、大当たり図柄に応じていずれかのアタッカーが所定ラウンド数にわたり開放されるものが提案されている（特許文献１参照）。
【０００３】
【特許文献１】特開２００６−３４０８９５号公報
【０００４】
特許文献１に記載された遊技機では、右側アタッカーが開放されたとき、遊技領域の右側に向けて発射された遊技球の殆どが右側アタッカーに入賞するので、遊技者は右側アタッカー開放時にいわゆる右打ちを行って、持ち玉の減少を抑制しつつ大量の賞球を獲得することができる。ところが、１Ｒが終了して右側アタッカーが一旦閉鎖されると、右打ちされた遊技球はそのまま遊技領域を流下してアウト玉となりやすく、次のラウンドに移行して右側アタッカーが再び開放されるまでに遊技者は多くの持ち玉を消費してしまう。それを回避するため、遊技者はラウンド消化中（右側アタッカー開放時）には右打ち状態に発射ハンドルを保持し、ラウンド間（右側アタッカー閉鎖時）には発射ハンドルから手を離して玉の減少を防ぐ煩雑な操作を余儀なくされ、とりわけ遊技初心者には切り換えのタイミングを逸しやすい。
【０００５】
なお、確率変動状態（大当たり終了後に設定される、通常状態よりも高い当選確率状態）に移行した場合（「確変」と通称される）や、いきなり確率変動状態に突入した場合（「突確」又は「突然確変」と通称される）にも、早く始動入賞を確保して当否抽選（とそれに続く大当たり）をスタートさせるために発射強度を標準状態に調整する。その後大当たり終了後に、上記と同様に右側アタッカーの開放に合わせて発射強度を右打ち状態に調整し、右側アタッカー閉鎖時には発射強度を標準状態に戻して、打ち方を変更することになる。
【発明の開示】
【発明が解決しようとする課題】
【０００６】
本発明の課題は、回転切り換え可能な誘導案内面を有する回転体を備えることによって、遊技途中で発射強度の調整を行わなくても、遊技領域を流下する遊技球を異なる領域へ切り換え案内することのできる遊技機用可変入賞装置と、それを用いた遊技機を提供することにある。
【課題を解決するための手段及び発明の効果】
【０００７】
上記課題を解決するために、本発明の遊技機用可変入賞装置は、
遊技球の流下方向を上下方向としその交差方向を左右方向として遊技盤の盤面上に形成された遊技領域において、遊技者の位置する前方側とは反対側の後方側に向かう入賞領域へ前記遊技領域から遊技球を導入するための入賞口を有する台板を含んで構成され、その台板が前記遊技盤に固定された遊技機用可変入賞装置であって、
前記遊技領域を流下する遊技球を案内するために前後方向に所定高さの誘導案内面を有するとともに、前記台板から前方側に向かって配置された回転軸線周りに回転することにより、前記誘導案内面が前記回転軸線を含む鉛直面に対して左右方向一方側に傾斜して前記遊技領域での遊技球の流下を案内する第一案内位置と、左右方向他方側に傾斜して前記遊技領域の遊技球を前記入賞領域へ案内する第二案内位置とに変位可能な回転体と、
その回転体を前記回転軸線周りで可逆的に又は同一方向に回転して前記第一案内位置と第二案内位置とに変位させるためのアクチュエータとを備え、
前記回転体が前記アクチュエータによって前記第一案内位置に切り換えられて停止したとき、前記遊技領域を流下する遊技球は前記誘導案内面に沿ってその遊技領域を流下する一方、
前記回転体が前記アクチュエータによって前記第二案内位置に切り換えられて停止したとき、前記遊技領域を流下する遊技球は前記誘導案内面により前記入賞領域に案内されることを特徴とする。
【０００８】
このような遊技機用可変入賞装置では、例えば、回転体が大当たり中に第一案内位置に変位したとき、遊技球は誘導案内面に沿って遊技領域を流下する。したがって、誘導案内面の延長線に沿って始動入賞口等を配置すれば、遊技球を始動入賞口等に誘導案内することによって、大当たり中においても次の大当たり用の当否抽選を開始するための始動入賞を確保することができ、遊技を継続することができる。特に、入賞口が遊技領域の左右方向端部に設置される場合には、回転体が第一案内位置に変位したとき、誘導案内面で遊技領域の中央下部に遊技球を戻すことによって、大当たり中に次の始動入賞を確保できる。このように、誘導案内面を有する回転体を第一案内位置と第二案内位置との間で変位させることによって、遊技機用可変入賞装置の配置の自由度が増大する。
【０００９】
上記の通り、アクチュエータは、回転体を回転軸線周りで可逆的に又は同一方向に回転して第一案内位置と第二案内位置とに変位させる。このようなアクチュエータとして、自身が回転軸線周りで可逆的に回転したり、あるいは同一方向に回転したりするロータリアクチュエータと、自身は可逆的に往復動するリニアアクチュエータとのいずれを選択してもよい。例えば、ロータリアクチュエータの場合、ステッピングモータ等の電動モータやロータリソレノイド等を用いることができる。他方、リニアアクチュエータの場合、リニアソレノイドやリニアモータ等を用いることができる。
【００１０】
ところで、回転体の誘導案内面は、円盤を中心線方向から見て円周上の２点を通る弦を切断線とし、中心線方向に沿ってその切断線を移動させて切断・分離した２つの切断片のうちいずれか一方が選択された場合に、その選択された切断片が有する単一の切断平面（通称、Ｄカット断面）に該当する。これによって、遊技領域の遊技球は、単一の切断平面に該当する誘導案内面に沿って円滑に流下するので、遊技領域における遊技球の詰り等を生じにくい。
【００１１】
例えば、切断線が円盤の直径であるとき、２つの切断片は等しい大きさに切断・分離され、そのいずれが選択された場合でも、回転軸線を中心線からオフセット（齟齬；偏位）して配置すればよい。これによって、誘導案内面上に回転軸線（駆動軸）が存在しないように構成できるので、遊技球は誘導案内面を円滑に流下できる。
【００１２】
一方、切断線が円盤の直径でないとき、２つの切断片は中心線を含む大きい切断片とその中心線を含まない小さい切断片とに切断・分離され、そのうち大きい切断片が選択された場合には、回転軸線を中心線に一致させて配置することができるので、回転軸線（駆動軸）の設置が容易に行なえる。このように、回転軸線を中心線と一致させて配置しても、誘導案内面上に駆動軸が存在しないように構成できるので、遊技球は誘導案内面を円滑に流下できる。
【００１３】
あるいは、上記のようにして切断・分離された大きい切断片と小さい切断片とのうち小さい切断片が選択された場合には、回転軸線（駆動軸）は中心線とは無関係に配置されることになり、誘導案内面上に駆動軸が存在しないように構成できるので、遊技球は誘導案内面を円滑に流下できる。
【００１４】
さらに、台板には、遊技領域での遊技球の流下を案内するための誘導面を有する誘導壁部が形成されるとともに、その誘導面には回転体を回転可能に収容するための凹部が形成され、
回転体が第一案内位置で停止保持されているとき、誘導壁部の誘導面は、回転体の誘導案内面と面一状になるように配置されていることが望ましい。
【００１５】
これによって、遊技領域の遊技球は、回転体の誘導案内面及び誘導壁部（台板）の誘導面に沿って円滑に流下できるので、球詰まりの発生が抑制される。また、誘導壁部の誘導面は回転体の誘導案内面と面一状になるため、引っ掛かりが少なくなり不正行為を防止できる。
【００１６】
そこで、上記課題を解決するために、本発明の遊技機は、
以上のような遊技機用可変入賞装置の台板が遊技盤に固定配置されたことを特徴とする。
【００１７】
これによって、遊技途中で発射強度の調整を行わなくても、遊技領域を流下する遊技球を異なる領域（例えば、中央下部の始動入賞口と右端部の大入賞口）へ切り換え案内することができる。
【００１８】
具体的には、遊技盤には、回転体の第一案内位置での停止保持状態において、誘導案内面から遊技球の流下方向下手側へ向かう延長線に沿って複数の障害釘が植設され、それら障害釘のさらに流下方向下手側に始動入賞口を配置することができる。
【００１９】
これによって、例えば、回転体が大当たり中に第一案内位置に変位したとき、遊技球は誘導案内面に沿って遊技領域を流下する。したがって、誘導案内面の延長線に沿って配置された始動入賞口に入賞しやすくなり、大当たり中においても次の大当たり用の当否抽選を開始するための始動入賞を確保することができ、遊技を継続することができる。特に、入賞口が遊技領域の左右方向端部に設置される場合には、回転体が第一案内位置に変位したとき、誘導案内面で遊技領域の中央下部に遊技球を戻すことによって、大当たり中に次の始動入賞を確保できる。このように、誘導案内面を有する回転体を第一案内位置と第二案内位置との間で変位させることによって、遊技機用可変入賞装置の配置の自由度が増大する。
【発明を実施するための最良の形態】
【００２０】
（実施例１）
以下、本発明の実施の形態を図面を参照しつつ説明する。図１は本発明に係る遊技機用可変入賞装置（以下、単に入賞装置ともいう）を備えたパチンコ機の一例を示す正面図、図２はその部分拡大正面図、図３は本発明に係る入賞装置の回転体が入賞口閉鎖状態（第一案内位置）にあるときの正面図、図４は回転体が入賞口開放状態（第二案内位置）にあるときの正面図である。図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃの中央には液晶表示部３が搭載され、液晶表示部３の右下方（遊技領域２ｃの右下部）に入賞装置４が配置されている。なお、液晶表示部３の下方（入賞装置４の左下方で遊技領域２ｃの中央下部）には、一対の回動翼片８ａ，８ａによって形成される電動チューリップ（電チュー）形の始動入賞口８が配置されている。
【００２１】
図２に示すように、この入賞装置４は、遊技球Ｂの流下方向を上下方向としその交差方向を左右方向として遊技盤２の盤面２ａ（図１参照）上に形成された遊技領域２ｃにおいて、後方側（遊技者の位置する前方側とは反対側）に向かう入賞領域５ｃへ遊技領域２ｃから遊技球を導入するための大入賞口５ｂ（入賞口）を有する台板５を含んで構成され、台板５が遊技盤２に固定されている。
【００２２】
入賞装置４は、遊技領域２ｃを流下する遊技球Ｂを案内するために前後方向に所定高さの誘導案内面２１を有するとともに、台板５から前方側に向かって配置された回転軸線Ｏ（モータ軸３１（駆動軸））周りに回転可能な回転体２０と、回転体２０を回転軸線Ｏ周りで可逆的に回転変位させるための電動モータ３０（アクチュエータ；図３参照）とを備えている。
【００２３】
回転体２０は、誘導案内面２１が回転軸線Ｏを含む鉛直面に対して左右方向一方側に傾斜して遊技領域２ｃでの遊技球の流下を案内する第一案内位置（大入賞口５ｂの閉鎖状態；図３参照）と、左右方向他方側に傾斜して遊技領域２ｃの遊技球を入賞領域５ｃへ案内する第二案内位置（大入賞口５ｂの開放状態；図４参照）とに変位可能である。
【００２４】
一方電動モータ３０は、回転体２０を回転軸線Ｏ周りで可逆的に第一案内位置と第二案内位置とに変位させることができる。
【００２５】
したがって、回転体２０が電動モータ３０によって第一案内位置に切り換えられて停止したとき、遊技領域２ｃを流下する遊技球Ｂは誘導案内面２１に沿ってその遊技領域２ｃを流下する。一方、回転体２０が電動モータ３０によって第二案内位置に切り換えられて停止したとき、遊技領域２ｃを流下する遊技球Ｂは誘導案内面２１により入賞領域５ｃに案内される。
【００２６】
さらに、遊技盤２には、回転体２０の第一案内位置での停止保持状態において、誘導案内面２１から遊技球Ｂの下方側（流下方向下手側）へ向かう延長線に沿って複数の障害釘２ｄが植設されている。また、障害釘２ｄのさらに下方側（流下方向下手側）に上記した始動入賞口８が配置されている。
【００２７】
これにより、回転体２０が大当たり中に第一案内位置に変位したとき、遊技球Ｂは誘導案内面２１に沿って遊技領域２ｃを流下するから、誘導案内面２１の延長線に沿って配置された始動入賞口８に入賞しやすくなる。したがって、大当たり中においても次の大当たり用の当否抽選を開始するための始動入賞を確保することができ、持ち玉数を減らさずに遊技を継続することができる。本実施例のように、大入賞口５ｂが遊技領域２ｃの右側端部に設置される場合、回転体２０が第一案内位置に変位したとき、誘導案内面２１で遊技領域２ｃの中央下部に遊技球Ｂを戻すことによって、大当たり中に次の始動入賞を確保できる。このように、誘導案内面２１を有する回転体２０を第一案内位置と第二案内位置との間で変位させることによって、入賞装置４の配置の自由度が増大する。
【００２８】
ところで、このような回転体２０は、図６及び図７に示すように、円盤１２０を中心線Ｏ’方向から見て円周上の２点Ｘ，Ｙを通る弦を切断線ＸＹとし、中心線Ｏ’方向に沿ってその切断線ＸＹを移動させて切断・分離したとき、２つの切断片１２０Ａ，１２０Ｂのうちいずれか一方を選択して用いることができる。よって、回転体２０の誘導案内面２１は、その選択された切断片１２０Ａ，１２０Ｂが有する単一の切断平面１２１Ａ，１２０Ｂに該当する。そのために、遊技領域２ｃの遊技球Ｂは誘導案内面２１に沿って円滑に流下できる（図２）。ただし、実際上の回転体２０は、高分子材料（例えば合成樹脂）による一体成形等によって形成されるのが一般的であり、図６及び図７は回転体２０の形状を概念的に説明したものである。さらに、回転体２０の形状についても、図６及び図７に示すものは単なる例示にすぎず、これらに限定されるものではない。
【００２９】
例えば、図６に示すように切断線ＸＹが円盤１２０の直径であるとき、２つの切断片１２０Ａ，１２０Ｂは等しい大きさに切断・分離され、そのいずれが選択された場合でも、回転軸線Ｏ（駆動軸３１Ａ，３１Ｂ）を中心線Ｏ’からオフセット（齟齬；偏位）して配置すればよい。これによって、切断平面１２１Ａ，１２０Ｂ上に回転軸線Ｏ（駆動軸３１Ａ，３１Ｂ）が存在しないように構成できるので、遊技球Ｂは誘導案内面２１を円滑に流下できる（図２）。
【００３０】
一方、図７に示すように切断線ＸＹが円盤の直径でないとき、２つの切断片１２０Ａ，１２０Ｂは中心線Ｏ’を含む大きい切断片１２０Ａとその中心線Ｏ’を含まない小さい切断片１２０Ｂとに切断・分離され、そのうち大きい切断片１２０Ａが選択された場合には、回転軸線Ｏを中心線Ｏ’に一致させて配置することができるので、回転軸線Ｏ（駆動軸３１Ａ）の設置が容易に行なえる。このように、回転軸Ｏを中心線Ｏ’と一致させて配置しても、切断平面１２１Ａ上に駆動軸３１Ａが存在しないように構成できるので、遊技球Ｂは誘導案内面２１を円滑に流下できる（図２）。
【００３１】
あるいは、図７に示すように切断・分離された大きい切断片１２０Ａと小さい切断片１２０Ｂとのうち小さい切断片１２０Ｂが選択された場合には、回転軸線Ｏ（駆動軸３１Ｂ）は中心線Ｏ’とは無関係に配置されることになり、切断平面１２１Ｂ上に駆動軸３１Ｂが存在しないように構成できるので、遊技球Ｂは誘導案内面２１を円滑に流下できる（図２）。
【００３２】
図３に示すように、台板５には、遊技領域２ｃでの遊技球Ｂの流下を案内するための誘導面５２を有する誘導壁部５１が形成されている。また、誘導面５２には回転体２０を回転可能に収容するための凹部５３が形成されている。さらに、回転体２０が第一案内位置（大入賞口５ｂの閉鎖状態）で停止保持されているとき、誘導壁部５１の誘導面５２は、回転体２０の誘導案内面２１と面一状になるように配置されている。
【００３３】
これによって、遊技領域２ｃの遊技球Ｂが誘導案内面２１及び誘導面５２に沿って円滑に流下し、球詰まりの発生が抑制される。また、誘導壁部５１の誘導面５２と回転体２０の誘導案内面２１とが面一状になるため、引っ掛かりが少なくなり不正行為を防止できる。
【００３４】
図５に示すように、回転体２０は、回転軸線Ｏを有するモータ軸３１（駆動軸）とそのモータ軸３１から半径方向に延びる駆動アーム３２（伝動手段）とによって可逆回転される。上記したように、回転体２０が回転軸線Ｏに直交する断面において非円形状（中心線Ｏ’を中心として点対称でない形状）であっても、モータ軸３１と駆動アーム３２とで回転体２０の回転モーメントを受け止め、円滑に回転駆動することができる。具体的には、台板５に円弧状の長孔５ａ（係合凹部）を形成し、駆動アーム３２の先端に形成した突出部３２ａ（係合突起）を長孔５ａに挿入（係合）して回転体２０に固定することによって、回転体２０を円滑に回転することができる。
【００３５】
このような入賞装置４について、図１及び図２により、遊技盤２上での入賞装置４の作動について概略を説明する。始動入賞口８へ遊技球が入賞すると当否抽選が実行され、その抽選結果が大当たりであると、液晶表示部３に大当たり図柄（例えば「７７７」のゾロ目）が表示される。さらに、回転体２０が電動モータ３０によって第二案内位置に切り換えられ、遊技領域２ｃを流下する遊技球Ｂは誘導案内面２１により入賞領域５ｃに案内される。そして、大入賞口５ｂへの所定個数（例えば１０個）の入賞を近接スイッチ７が検出したとき、又は所定時間（例えば３０秒）が経過したときに、回転体２０が電動モータ３０（図３参照）によって第一案内位置に切り換えられ、遊技領域２ｃを流下する遊技球Ｂは誘導案内面２１に沿ってその遊技領域２ｃを流下する。これを１ラウンド（１Ｒ）として所定のラウンド数（例えば１５Ｒ）が繰り返され、遊技者はこの間に大量の賞球を獲得することができる。
【００３６】
すなわち、回転体２０が大当たり中に第一案内位置に変位したとき、遊技球Ｂは誘導案内面２１に沿って遊技領域２ｃを流下するから、誘導案内面２１の延長線に沿って配置された始動入賞口８に入賞しやすくなる。したがって、大当たり中において右打ちにより次の大当たり用の当否抽選を開始するための始動入賞を確保することができ、持ち玉数を減らさずに遊技を継続することができる。
【００３７】
（実施例２）
図８に本発明に係る入賞装置を備えたパチンコ機の他の例を示す。図８のパチンコ機１０１（遊技機）では、液晶表示部３の左下方（遊技領域２ｃの左下部）に入賞装置１０４が配置されている。つまり、図８のパチンコ機１０１の遊技盤２の盤面２ａは、ちょうど実施例１（図１）の左右を反転したように構成されている。
【００３８】
したがって、遊技機１０１の遊技盤２にも、回転体２０の第一案内位置での停止保持状態において、誘導案内面２１から遊技球Ｂの下方側（流下方向下手側）へ向かう延長線に沿って複数の障害釘２ｄを植設することができる。また、障害釘２ｄのさらに下方側（流下方向下手側）に始動入賞口８を配置することができる。このように、図８のパチンコ機１０１は大当たり中において左打ちに有利な盤面構成をとることができる。
【００３９】
（実施例３）
図９に本発明に係る入賞装置を備えたパチンコ機のさらに他の例を示す。図９のパチンコ機２０１（遊技機）では、液晶表示部３の左右下方（遊技領域２ｃの左右下部）にそれぞれ入賞装置２０４が配置されている。つまり、図９のパチンコ機２０１の遊技盤２の盤面２ａは、ちょうど実施例１（図１）と実施例２（図８）とを合成したように構成されている。
【００４０】
したがって、遊技機２０１の遊技盤２にも、左右一対の回転体２０，２０の第一案内位置での停止保持状態において、誘導案内面２１，２１から遊技球Ｂの下方側（流下方向下手側）へ向かう延長線に沿って複数の障害釘２ｄをそれぞれ植設することができる。また、左右の障害釘２ｄの列が下方側（流下方向下手側）で交差する位置に始動入賞口８を配置することができる。このように、図９のパチンコ機２０１は大当たりの種別に応じて左右に打ち分ける盤面構成をとることができ、バラエティに富んだ遊技を提供できる。また、障害釘２ｄが左右対称に配列できるため、デザインや生産性が向上する。
【００４１】
なお、実施例２（図８）及び実施例３（図９）において、実施例１（図１〜図７）と共通する機能を有する部分には同一符号を付して説明を省略した。
【図面の簡単な説明】
【００４２】
【図１】本発明に係る入賞装置を備えたパチンコ機の一例を示す正面図。
【図２】図１の部分拡大正面図。
【図３】本発明に係る入賞装置の一例を示し、回転体が入賞口閉鎖状態（第一案内位置）にあるときの正面図。
【図４】回転体が入賞口開放状態（第二案内位置）にあるときの正面図。
【図５】回転体の駆動系を示す背面図。
【図６】回転体の形状を示す説明図。
【図７】回転体の他の形状を示す説明図。
【図８】本発明に係る入賞装置を備えたパチンコ機の他の例を示す正面図。
【図９】本発明に係る入賞装置を備えたパチンコ機のさらに他の例を示す正面図。
【符号の説明】
【００４３】
１          パチンコ機（遊技機）
２          遊技盤
２ａ        盤面
２ｂ        レール
２ｃ        遊技領域
２ｄ        障害釘
３          液晶表示部
４          入賞装置（遊技機用可変入賞装置）
５          台板
５ａ        長孔（係合凹部）
５ｂ        大入賞口（入賞口）
５ｃ        入賞領域
５１        誘導壁部
５２        誘導面
５３        凹部
７          近接スイッチ（検出センサ；入賞球検出手段）
８          始動入賞口
８ａ        回動翼片
２０        回転体
２１        誘導案内面
３０        電動モータ（アクチュエータ）
３１        モータ軸（駆動軸）
３２        駆動アーム（伝動手段）
３２ａ      突出部（係合突起）
Ｏ          回転軸線
Ｏ’        中心線
【図１】
2008272231.tif 000003
【図２】
2008272231.tif 000004
【図３】
2008272231.tif 000005
【図４】
2008272231.tif 000006
【図５】
2008272231.tif 000007
【図６】
2008272231.tif 000008
【図７】
2008272231.tif 000009
【図８】
2008272231.tif 000010
【図９】
2008272231.tif 000011